(57)【要約】【課題】特願２００２−６４５０５のように、予めレセプタクル本体とフェルールガイドと受光素子ホルダを組み込んだ状態にし、受光素子を位置合わせして接着するため、位置出しに問題があった場合など、レセプタクル本体も含め全て廃棄しなければならなくなる事を防ぎ、レセプタクル本体に受光素子ホルダ等を装着する前に機能を確認出来るようにする事。【解決手段】受光素子ホルダの背面側凹部に、モールドタイプの受光素子をＸ軸とＹ軸を位置出しした後接着し、受光素子のリードを基板の増幅回路に接続し、受光素子ホルダ、受光素子、基板、の３点を組立てた受光機能を持つ組立体にし、この状態で機能を確認してから、組立体をレセプタクル本体の貫通孔で背面側から挿入し装着する事。【選択図】図８
2004354958.tif 000002
【特許請求の範囲】
【請求項１】
受光素子ホルダの背面側凹部に、モールドタイプの受光素子をＸ軸とＹ軸を位置出しした後接着し、受光素子のリードを基板の増幅回路に接続し、前記３点を組立てた光信号を電気信号に変換する機能を持つ組立体を、レセプタクル本体の貫通孔で背面側から挿入し、前記貫通孔はプラグ挿入側内周の径より背面側内周の径が大きく、内周の一部に段差部を有し、受光素子ホルダの外周は、プラグ挿入側の径より背面側の径が大きく、外周の一部に段差部を有し、受光素子ホルダ外周の段差部がプラグ側内周面の段差部に到達し、受光機能を有する組立体を、レセプタクル本体の定められた位置で装着する事を特徴とする光レセプタクル受光型モジュール。
【発明の詳細な説明】
【発明の属する技術分野】
本発明は、光通信用の光受光モジュールに関し、特にＦＣタイプのレセプタクル型受光モジュールで、レセプタクル本体が金属性のものに関するものである。
【従来の技術】
従来の光モジュールは図１３や図１４に示す様に、光コネクタのフェルール５の中心にある光ファイバ６の端の発した光は、小型レンズ７で集光され、受光素子を保護する金属パッケージ８の前面のガラス９を通り受光部１０に集光し到達するものが多かった。また、前面ガラス９がレンズになっており小型レンズ７を省略したものが存在するが、これらの受光素子部はキャンタイプと称される。また、受光素子ホルダに前記のような金属パッケージを有する公知文献は、特開平５−３３３２４４や特開平６−２７３５３、特開２００２−４３６７３がある。
また、レセプタクル本体にフェルールガイドを取付その後で受光素子ホルダを嵌め込み、受光素子をＸ軸とＹ軸を合わせて接着する方法の、特願２００２−６４５０５の方式もある。
【本発明が解決しようとする課題】
従来の光レセプタクル型受光モジュールは、金属パッケージを有するキャンタイプの場合コストがかかっていた。また、特願２００２−６４５０５の場合、予めレセプタクル本体とフェルールガイドと受光素子ホルダを組み込んだ後に受光素子を位置合わせして接着するため、位置出しに問題があった場合など、レセプタクル本体も含め全て廃棄しなければならなくなる恐れがあった。
【課題を解決する手段】
本発明はそれらの問題を解決するために考え出されたものである。
まず、受光素子ホルダの凹部２ｅに、モールドタイプの受光素子３をＸ軸とＹ軸の位置出しした状態で接着し、受光素子のリード３ａを基板４の回路に接続する。前記３点を組立てた光信号を電気信号に変換する機能を持つ組立体を、レセプタクル本体の貫通孔に挿入させ結合する。その時、レセプタクルの貫通孔はプラグ側内周１ｂの径より背面側内周１ｃの径が大きく、内周の一部に段差部１ｄを有し、受光素子ホルダの外周は、プラグ側の径２ｂより背面側の径２ｃが大きく、外周の一部に段差部２ａを有し、受光素子ホルダ外周の段差部がプラグ内周面の段差部に到達し挿入がとまる。受光素子ホルダと受光素子、基板だけ組立てた状態でＸ軸とＹ軸の整合の確認出来るので、軸合わせに問題がある時など、レセプタクル本体も含め廃棄する事態はならず前記問題を解決するものである。
【発明の実施の形態】
以下、本発明の実施の形態を図面に基づいて説明する。
図２の受光素子ホルダ２の凹部２ｅに、図４のモールドタイプの受光素子３を装着する。受光素子は透明又は赤外線が透過出来るものである。この時治具を使ってフェルールの位置を固定し、Ｘ軸とＹ軸を位置出しし、接着剤等を使って固定する。この後、受光素子のリード３ａを基板４の回路に接続するが、リードはコの字型に曲げて取付ていて、基板の向きは図７に示す様になる。前記３点を組んだ組立体は、光信号を電気信号に変換する機能を有していて、図７の形状になる。この様にレセプタクル本体を嵌める前に位置出しの確認をし、それからレセプタクル本体の貫通孔の１ｃ側から受光素子ホルダを挿入する。この時図８の形状になり、レセプタクル本体の貫通孔で背面側１ｃから樹脂等を充填し基板及びモールドタイプの受光素子、受光素子ホルダを抜け等がおきない様固定する。
実際に使用する時、プラグのフェルール端面が受光素子ホルダの貫通孔２ｄに挿入し、光コネクタのプラグのカップリング内周のねじと、レセプタクル本体の外周ねじ部１ｅが螺合により結合する。
装置等の基板に取り付ける場合、図８で示す奥側に装置等の基板が存在し、レセプタクルの貫通孔１ａは雌ねじになっており、装置等の基板側からねじで取付け固定し、使用するものである。
【効果】
以上の様に、モールドタイプの受光素子を用いる事で、キャンタイプのものと比べコストダウンが図れる。また、組立作業においても受光素子ホルダにモールドタイプの受光素子を位置出しした後接着し、受光素子のリードを基板の増幅回路に接続し、前記３点を組立て受光能力を持たせ、その時点で精度が確認出来るので、万一位置出しに問題があった時でも、レセプタクル本体は廃棄しないで済む。また、受光素子ホルダをレセプタクル本体に組み込む時も自重で嵌るようになっているため、容易に組む事が出来る。
【図面の簡単な説明】
【図１】レセプタクル本体の半断面図
【図２】受光素子ホルダの半断面図
【図３】図２を底面から見た図
【図４】受光素子の受光部を示した図
【図５】図４を下方から見た図
【図６】取付前の基板を示した図
【図７】受光素子と受光素子ホルダ、基板の３点を組んだ組立体の断面図
【図８】組立後のレセプタクルモジュールの半断面図
【図９】図８を底面から見た図
【図１０】図８をプラグ側（嵌合側）から見た図
【図１１】図８を右から見た半断面図
【図１２】図１１を底面から見た図
【図１３】従来のキャンタイプのレセプタクルモジュール組立前の図
【図１４】従来のキャンタイプのレセプタクルモジュール組立後の図
【符号の説明】
１……レセプタクル本体    １ａ……レセプタクルの貫通孔
１ｂ……レセプタクルの貫通孔    １ｃ……レセプタクルの貫通孔
１ｄ……レセプタクルの貫通孔の段差部  １ｅ……レセプタクルの外周ねじ部
２……受光素子ホルダ    ２ａ……受光素子ホルダ外周段差部
２ｂ……受光素子ホルダ外周    ２ｃ……受光素子ホルダの外周
２ｄ……受光素子ホルダの貫通孔    ２ｅ……受光素子ホルダの凹部
３……受光素子  ３ａ……受光素子のリード  ４……基板  ５……フェルール
６……ファイバ    ７……レンズ    ８……金属パッケージ
９……前面ガラス    １０……受光部
【図１】
2004354958.tif 000003
【図２】
2004354958.tif 000004
【図３】
2004354958.tif 000005
【図４】
2004354958.tif 000006
【図５】
2004354958.tif 000007
【図６】
2004354958.tif 000008
【図７】
2004354958.tif 000009
【図８】
2004354958.tif 000010
【図９】
2004354958.tif 000011
【図１０】
2004354958.tif 000012
【図１１】
2004354958.tif 000013
【図１２】
2004354958.tif 000014
【図１３】
2004354958.tif 000015
【図１４】
2004354958.tif 000016